(57)【要約】  筐体と、筐体の前面に配置されているベースパネルと、ベースパネルの前面に配置され、ベースパネルに取り付けられている意匠パネルとを備える。意匠パネルは、意匠パネル正面部と、筐体を正面視したときの左右方向の両端部において、筐体の前面から背面に向かう方向に延びる意匠パネル側面部と、左右方向の両端部に設けられた係合部とを有している。ベースパネルは、左右方向の両端部に形成され、係合部が係合する被係合部を有している。意匠パネル側面部は、係合部と被係合部との係合部分の外側に位置している。
2020202298.tif 000002
【特許請求の範囲】
【請求項１】
筐体と、前記筐体の前面に配置されているベースパネルと、前記ベースパネルの前面に配置され、前記ベースパネルに取り付けられている意匠パネルとを備え、
前記意匠パネルは、意匠パネル正面部と、前記筐体を正面視したときの左右方向の両端部において、前記筐体の前面から背面に向かう方向に延びる意匠パネル側面部と、前記左右方向の両端部に設けられた係合部とを有し、
前記ベースパネルは、前記左右方向の両端部に形成され、前記係合部が係合する被係合部を有し、
前記意匠パネル側面部は、前記係合部と前記被係合部との係合部分の外側に位置している空気調和機の室内機。
【請求項２】
前記意匠パネル側面部と前記係合部は互いに交差している請求項１に記載の空気調和機の室内機。
【請求項３】
前記係合部は、前記意匠パネル側面部から、前記左右方向の中央へ向かって前記意匠パネル正面部と平行に延びており、
前記被係合部は、前記ベースパネルのベースパネル正面部の前記左右方向の両端部において、前記筐体の前面から背面に向かう方向に延びる第１被係合要素と、前記ベースパネル正面部から離れる方向へ向かって前記ベースパネル正面部と平行に延びる第２被係合要素とを有し、
前記第２被係合要素は、前記意匠パネル正面部と前記係合部との間に位置し、
前記係合部と前記第２被係合要素とは当接している請求項１又は２に記載の空気調和機の室内機。
【請求項４】
前記意匠パネル側面部は前記意匠パネル正面部と一体成型され、かつ、前記係合部は前記意匠パネル側面部と一体成型されている請求項２又は３に記載の空気調和機の室内機。
【請求項５】
前記意匠パネルは、前記左右方向における右側に位置する第１パネルと、前記左右方向における左側に位置する第２パネルとを有し、
前記ベースパネルは、前記左右方向における右側に位置する第１ベース部と、前記左右方向における左側に位置する第２ベース部とを有し、
前記第１パネルの前記左右方向の両端部のうち右側に位置する端部に前記係合部が設けられ、
前記第１ベース部の前記左右方向の両端部のうち右側に位置する端部に前記被係合部が設けられ、
前記第１ベース部の前記左右方向の両端部のうち左側に位置する端部に係止部が設けられ、
前記第１パネルの前記左右方向の両端部のうち左側に位置する端部に前記係止部が係止する被係止部が設けられている請求項１〜４のいずれか一項に記載の空気調和機の室内機。
【請求項６】
前記被係止部は、前記第１パネルの前記筐体の中央の側の前記端部に設けられたフランジに形成された穴であり、
前記係止部は、前記第１ベース部の前記筐体の中央の側に位置する側面に設けられた爪である請求項５に記載の空気調和機の室内機。
【請求項７】
前記ベースパネルの上部に固定された上部キャップと、前記ベースパネルの下部に固定された下部キャップとを備え、
前記ベースパネルは、上端部に形成された上部ベースパネルフランジと、下端部に形成された下部ベースパネルフランジとを有し、
前記意匠パネルは、上端部に形成された上部意匠パネルフランジと、下端部に形成された下部意匠パネルフランジとを有し、
前記上部意匠パネルフランジは、前記上部ベースパネルフランジの上面に当接し、
前記下部意匠パネルフランジは、前記下部ベースパネルフランジの下面に当接し、
前記上部キャップは、前記上部意匠パネルフランジの上面を覆うように配置され、
前記下部キャップは、前記下部意匠パネルフランジの下面を覆うように配置されている請求項１〜６のいずれか一項に記載の空気調和機の室内機。
【発明の詳細な説明】
【技術分野】
【０００１】
本発明は、空気調和機の室内機に関するものであり、特に意匠パネルの取付構造に関するものである。
【背景技術】
【０００２】
空気調和機の室内機は、空調対象の室内に設置されるものであり、前面に配置される意匠パネルは使用者の目に触れる機会が多い。特許文献１には、室内に設置され、使用者の目に触れる機会の多いパーティションのパネルに関する構造が記載されている。特許文献１に記載されているのは、パネルの下方に巾木を取り付ける構造である。特許文献１のパーティションのパネルは複数の支柱により支持されており、巾木は、パネルの下方において支柱を覆い隠すために取り付けられる。支柱の下部にはブラケットが設けられ、ブラケットには支持軸が取り付けられている。巾木の下部には、逆Ｕ字形の係合片が形成されている。巾木の係合片をブラケットの支持軸に係合させることにより、巾木はパネルの下方に取り付けられ、支柱は巾木により覆われる。
【先行技術文献】
【特許文献】
【０００３】
【特許文献１】特開２００２−００４５６４号公報
【発明の概要】
【発明が解決しようとする課題】
【０００４】
しかしながら、特許文献１の取付構造により取り付けられた巾木が覆うのは、支柱の前面側のみであり、パネルの下方において支柱の側面は露出している。すなわち、支柱のブラケットの支持軸と、巾木の係合片とが係合している部分は側方視で露出している。そのため、室内に設置するパーティションとしては見栄えが悪い。このような取付構造を室内機の意匠パネルの取付構造に適用すると、室内機は室内に設置されるものであるため、意匠パネルを支持している部分の側方が使用者の目にさらされることになり、意匠性を損なうという課題がある。【０００５】
本発明は、上記のような課題を解決するためになされたものであり、意匠性を向上させた空気調和機の室内機を提供することを目的とする。
【課題を解決するための手段】
【０００６】
本発明に係る空気調和機の室内機は、筐体と、前記筐体の前面に配置されているベースパネルと、前記ベースパネルの前面に配置され、前記ベースパネルに取り付けられている意匠パネルとを備え、前記意匠パネルは、意匠パネル正面部と、前記筐体を正面視したときの左右方向の両端部において、前記筐体の前面から背面に向かう方向に延びる意匠パネル側面部と、前記左右方向の両端部に設けられた係合部とを有し、前記ベースパネルは、前記左右方向の両端部に形成され、前記係合部が係合する被係合部を有し、前記意匠パネル側面部は、前記係合部と前記被係合部との係合部分の外側に位置しているものである。
【発明の効果】
【０００７】
本発明に係る空気調和機の室内機によると、意匠パネルの係合部とベースパネルの被係合部との係合部分は、意匠パネル側面部により覆われ、使用者の目に触れることがない。従って、意匠性が向上した空気調和機の室内機を得ることができる。
【図面の簡単な説明】
【０００８】
【図１】実施の形態に係る空気調和機の室内機の斜視図である。
【図２】実施の形態に係る空気調和機の室内機の前面パネルを下へ移動させた状態の斜視図である。
【図３】実施の形態に係る室内機の前面パネルの分解斜視図である。
【図４】前面パネルのベースパネルと意匠パネルの一部を示す斜視図である。
【図５】意匠パネルの係合部とベースパネルの被係合部の断面図である。
【図６】第１ベース部の係止部と第１パネルの被係止部の断面図である。
【図７】上部キャップと前面パネルの一部を示す分解斜視図である。
【図８】上部キャップと前面パネルの断面図である。
【図９】上部キャップが取り外されている前面パネルの断面図である。
【図１０】第１パネルが第１ベース部に取り付けられている状態を示す断面図である。
【発明を実施するための形態】
【０００９】
以下に、本発明における室内機の実施の形態を図面に基づいて詳細に説明する。尚、以下に説明する実施の形態によって本発明が限定されるものではない。また、以下の図面においては各構成部材の大きさ及び形状は実際の装置とは異なる場合がある。
【００１０】
実施の形態．
図１は、実施の形態に係る空気調和機の室内機の斜視図である。図２は、実施の形態に係る空気調和機の室内機の前面パネルを下へ移動させた状態の斜視図である。室内機１は、空調対象の室内の床面に設置されるタイプの室内機である。室内機１は、略直方体の筐体２を有している。筐体２の前面に前面パネル１０が配置されている。前面パネル１０は、全体として長方形を有する板状の部材である。前面パネル１０は、上下方向に沿って移動可能に筐体２に支持されている。尚、以降の説明において、左右方向とは、室内機１若しくは筐体２を正面視した場合の左右方向である。
【００１１】
図３は、実施の形態に係る室内機の前面パネルの分解斜視図である。前面パネル１０は、ベースパネル２０と、意匠パネル３０と、上部キャップ４０と、下部キャップ５０とを有している。ベースパネル２０は全体として長方形の形状を有する板状部材である。ベースパネル２０は、長手方向が上下方向に延び、短手方向が左右方向に延びるよう、図１及び図２に示す筐体２の前面に取り付けられている。また、ベースパネル２０は、上下方向に移動可能に筐体２に取り付けられている。ベースパネル２０は、第１ベース部２１と第２ベース部２２とを有している。第１ベース部２１は、室内機１を前面側から見たとき右側に位置している。第２ベース部２２は、室内機１を前面側から見たとき左側に位置している。
【００１２】
意匠パネル３０は、ベースパネル２０の前面に配置されている。意匠パネル３０は、室内機１を室内に設置した場合に、最前面に位置する意匠面を構成している。意匠パネル３０は、第１パネル３１と、第２パネル３２と、化粧板３３とを有している。
【００１３】
第１パネル３１は長方形の形状を有する、金属製の板状部材である。第１パネル３１は、室内機１を前面側から見たとき右側に配置されており、ベースパネル２０の第１ベース部２１に取り付けられている。第１パネル３１の背面は、ベースパネル２０の第１ベース部２１の前面に当接している。第１パネル３１の長手方向の長さは、第１ベース部２１の長手方向の長さと略同一であり、第１パネル３１の短手方向の長さは、第１ベース部２１の短手方向の長さと略同一である。
【００１４】
第２パネル３２は長方形の形状を有する、金属製の板状部材である。第２パネル３２は、室内機１を前面側から見たとき左側に配置されており、ベースパネル２０の第２ベース部２２に取り付けられている。第２パネル３２の背面は、ベースパネル２０の第２ベース部２２の前面に当接している。第２パネル３２の長手方向の長さは、第２ベース部２２の長手方向の長さと略同一であり、第２パネル３２の短手方向の長さは、第２ベース部２２の短手方向の長さと略同一である。
【００１５】
化粧板３３は長尺部材であり、左右方向において第１パネル３１と第２パネル３２との間に配置されている。
【００１６】
上部キャップ４０は、前面パネル１０の上部に配置されている。下部キャップ５０は、前面パネル１０の下部に配置されている。
【００１７】
図４は、前面パネルのベースパネルと意匠パネルの一部を示す斜視図である。図４は、第１パネル３１が第１ベース部２１から取り外された状態をベースパネル２０の下側から示している。第１パネル３１は、意匠パネル正面部３１Ｃと、意匠パネル側面部３１１Ａと、係合部３１１Ｂとを有している。意匠パネル側面部３１１Ａ及び係合部３１１Ｂは、第１端部３１Ａに設けられている。第１端部３１Ａは室内機１を前面側から見たとき右側に位置する端部である。第１パネル３１の短手方向の両端部のうち第２端部３１Ｂには、第１パネル３１の長手方向に沿って左フランジ３１２が形成されている。第２端部３１Ｂは室内機１を前面側から見たとき左右方向の中央の側に位置する端部である。左フランジ３１２は、意匠パネル正面部３１Ｃと交差する方向に突出している。第１パネル３１の下端部には、下部意匠パネルフランジ３１３が形成されている。意匠パネル側面部３１１Ａ、左フランジ３１２、及び下部意匠パネルフランジ３１３は、意匠パネル正面部３１Ｃに対して同じ側に突出している。意匠パネル側面部３１１Ａ、左フランジ３１２、及び下部意匠パネルフランジ３１３は、ベースパネル２０の前面を向いている。すなわち、意匠パネル側面部３１１Ａ、左フランジ３１２、及び下部意匠パネルフランジ３１３は、図１及び図２に示す筐体２の前面から背面に向かう方向に延びている。
【００１８】
左フランジ３１２には、複数の矩形の穴３２０が形成されている。複数の穴３２０は、第１パネル３１の長手方向に沿って間隔をあけて形成されている。
【００１９】
ベースパネル２０の第１ベース部２１の短手方向の両端部のうち第１端部２１Ａには、被係合部２１１が形成されている。第１端部２１Ａは、室内機１を前面側から見たとき右側に位置する端部である。
【００２０】
ベースパネル２０において、左右方向の中央には中央部２０Ｃが設けられている。中央部２０Ｃには、図３に示す意匠パネル３０の化粧板３３が取り付けられる。中央部２０Ｃと、第１ベース部２１の短手方向の両端部のうち第２端部２１Ｂとの間には溝部２０Ｄが形成されている。第２端部２１Ｂは、室内機１を前面側から見たとき左右方向の中央の側に位置する端部である。第２端部２１Ｂの側に位置する第１ベース部２１の側面には、溝部２０Ｄ側に突出している複数の爪２２０が形成されている。爪２２０は、第１ベース部２１の長手方向において間隔をあけて複数、設けられている。
【００２１】
第１ベース部２１の下端部には下部ベースパネルフランジ２１３が形成されている。下部ベースパネルフランジ２１３は、図１及び図２に示す筐体２の前面から背面に向かう方向に延びている。
【００２２】
本実施の形態において、第１パネル３１の第２端部３１Ｂの左フランジ３１２の穴３２０と、ベースパネル２０の第１ベース部２１の第２端部２１Ｂの爪２２０は、対応する位置に設けられている。爪２２０は係止部であり穴３２０は被係止部である。穴３２０と爪２２０の係止関係については後述する。
【００２３】
図５は、意匠パネルの係合部とベースパネルの被係合部の断面図である。図５は、第１パネル３１が第１ベース部２１に取り付けられている状態を示している。図５は、図４に示す左フランジ３１２の複数の穴３２０のうち、上下方向の最下部に形成されている穴３２０を通る水平面で第１ベース部２１及び第１パネル３１を切断し、第１ベース部２１及び第１パネル３１の下側から示している。
【００２４】
図５は、第１パネル３１の係合部３１１Ｂと、ベースパネル２０の第１ベース部２１の被係合部２１１との係合関係を示している。第１パネル３１の第１端部３１Ａにおいて、意匠パネル正面部３１Ｃと意匠パネル側面部３１１Ａの接続部３１Ｄは湾曲している。意匠パネル側面部３１１Ａと係合部３１１Ｂの接続部３１１Ｃは湾曲している。意匠パネル側面部３１１Ａは、上述のように、筐体２の前面から背面に向かう方向に延びている。係合部３１１Ｂは、意匠パネル側面部３１１Ａから、左右方向の中央へ向かって意匠パネル正面部３１Ｃと平行に延びている。意匠パネル側面部３１１Ａと係合部３１１Ｂは交差している。意匠パネル側面部３１１Ａ、接続部３１１Ｃ、及び係合部３１１Ｂは、全体としてＬ字状の断面形状を有するフランジを構成している。
【００２５】
意匠パネル側面部３１１Ａは接続部３１１Ｃを介して意匠パネル正面部３１Ｃと一体成型され、かつ、係合部３１１Ｂは接続部３１１Ｃを介して意匠パネル側面部３１１Ａと一体成型されている。
【００２６】
第１ベース部２１の被係合部２１１は、第１被係合要素２１１Ａと、第２被係合要素２１１Ｂと、第３被係合要素２１１Ｃとを有している。第１被係合要素２１１Ａは、ベースパネル正面部２１Ｃから、図１及び図２に示す筐体２の前面から背面に向かう方向に延びている。第２被係合要素２１１Ｂは、第１被係合要素２１１Ａと一体成型されており、ベースパネル正面部２１Ｃから離れる方向へベースパネル正面部２１Ｃと平行に延びている。第３被係合要素２１１Ｃは、第２被係合要素２１１Ｂと一体成型され、図１及び図２に示す筐体２の背面から前面に向かう方向に延びている。被係合部２１１は、全体としてＵ字状の断面形状を有する段部を構成している。
【００２７】
第２被係合要素２１１Ｂは、意匠パネル正面部３１Ｃと係合部３１１Ｂとの間に位置している。係合部３１１Ｂにおいて意匠パネル正面部３１Ｃに対向する面と、被係合部２１１の第２被係合要素２１１Ｂにおいてベースパネル正面部２１Ｃの反対側を向く面とが当接している。意匠パネル側面部３１１Ａは、被係合部２１１の第３被係合要素２１１Ｃよりも、第１ベース部２１の外側、すなわちベースパネル２０の外側に位置している。また、係合部３１１の意匠パネル側面部３１１Ａと、被係合部２１１の第３被係合要素２１１Ｃとの間には間隔が形成されている。このような態様で係合部３１１は被係合部２１１に係合している。
【００２８】
図６は、第１ベース部の係止部と第１パネルの被係止部の断面図である。図６は、第１パネル３１が第１ベース部２１に取り付けられている状態を示している。図６は、図４に示す左フランジ３１２の複数の穴３２０のうち、上下方向の最下部に形成されている穴３２０を通る水平面で第１ベース部２１及び第１パネル３１を切断し、第１ベース部２１及び第１パネル３１の下側から示している。
【００２９】
第１パネル３１の左フランジ３１２の穴３２０と、ベースパネル２０の第１ベース部２１の爪２２０との係止関係を示している。爪２２０は、爪本体２２０Ａと支持部２２０Ｂとを有している。爪本体２２０Ａは鉤状の形状を有している。支持部２２０Ｂは、Ｕ字状の形状を有する線状部材であり、可撓性を有している。爪２２０の爪本体２２０Ａが穴３２０に係止している。
【００３０】
以上のように、右側の端部において係合部３１１Ｂが被係合部２１１に係合し、左側の端部において、換言すると前面パネル１０の中央側の端部において、穴３２０に爪２２０が係止することにより、第１パネル３１は第１ベース部２１に取り付けられている。
【００３１】
尚、意匠パネル３０の第２パネル３２のベースパネル２０の第２ベース部２２への取り付けの構成は、上述の第１パネル３１の第１ベース部２１への取り付けの構成と同様である。第２パネル３２の短手方向の両端部のうち、室内機１を前面側から見たとき左側に位置する端部に、意匠パネル側面部３１１Ａ及び係合部３１１Ｂと同様の意匠パネル側面部及び係合部が形成されている。第２ベース部２２の短手方向の両端部のうち、室内機１を前面側から見たとき左側に位置する端部に、被係合部２１１と同様の断面形状がＵ字状の被係合部が形成されている。第２パネル３２の係合部と第２ベース部２２の被係合部が、図５に示す態様と同様の態様で係合している。
【００３２】
また、第２パネル３２の短手方向の両端部のうち、室内機１の中央側に位置する端部に、左フランジ３１２と同様のフランジが形成され、当該フランジに穴３２０と同様の穴が形成されている。第２ベース部２２の短手方向の両端部のうち、室内機１の中央側に位置する端部に爪２２０と同様の爪が形成されている。第２ベース部２２の爪が第２パネル３２の穴に図６に示す態様と同様の態様で係止している。
【００３３】
すなわち、本実施の形態においては、意匠パネル３０の左右方向の両端部に設けられた係合部が、ベースパネルの２０の左右方向の両端部に設けられた被係合部に係合している。そして、係合部のそれぞれの意匠パネル側面部は、被係合部よりもベースパネルの外側に位置している。
【００３４】
図７は、上部キャップと前面パネルの一部を示す分解斜視図である。上部キャップ４０は長尺部材である。上部キャップ４０の長手方向の長さは、意匠パネル３０の左右方向の長さと略等しい。換言すると、上部キャップ４０の長手方向の長さは、第１パネル３１の短手方向の長さ、第２パネル３２の短手方向の長さ、及び化粧板３３の短手方向の長さを足した長さと略等しい。
【００３５】
本実施の形態において、上部キャップ４０は第１ビス６１、第２ビス６２、第３ビス６３、及び第４ビス６４により前面パネル１０の上縁部に固定されている。すなわち、上部キャップ４０は４個所で前面パネル１０の上縁部に固定されている。
【００３６】
上部キャップ４０は、第１ベース部２１に第１パネル３１が取り付けられている領域において、第１ビス６１及び第２ビス６２により第１ベース部２１に固定されている。上部キャップ４０は、第１ベース部２１及び第１パネル３１の左右方向の右端側において、第１ビス６１で固定され、第１ベース部２１及び第１パネル３１の左右方向の左端側において、第２ビス６２で固定されている。
【００３７】
また、上部キャップ４０は、第２ベース部２２に第２パネル３２が取り付けられている領域において、第３ビス６３及び第４ビス６４により第２ベース部２２の上縁部に固定されている。上部キャップ４０は、第２ベース部２２及び第２パネル３２の左右方向の左端側において、第３ビス６３で固定され、第１ベース部２１及び第１パネル３１の左右方向の右端側において、第４ビス６４で固定されている。
【００３８】
第１ビス６１は、上部キャップ４０に形成された取付穴４０１を挿通し、第１ベース部２１の上部において、左右方向の右端側に形成された取付穴１０１に嵌合している。第２ビス６２は、上部キャップ４０に形成された取付穴４０２を挿通し、第１ベース部２１の上部において、左右方向の左端側に形成された取付穴１０２に嵌合している。第３ビス６３は、上部キャップ４０に形成された取付穴４０３を挿通し、第２ベース部２２の上部において、左右方向の左端側に形成された取付穴１０３に嵌合している。第４ビス６４は、上部キャップ４０に形成された取付穴４０４を挿通し、第２ベース部２２の上部において、左右方向の右端側に形成された取付穴１０４に嵌合している。
【００３９】
図８は、上部キャップと前面パネルの断面図である。図８は、上部キャップ４０が固定された前面パネル１０を、第１ビス６１が固定されている位置において、前面パネル１０の長手方向に沿って切断し、右側から示す図である。図９は、上部キャップが取り外されている前面パネルの断面図である。図９は、前面パネル１０を図８と同じ位置において長手方向に沿って切断し、右側から示している。前面パネル１０のベースパネル２０の第１ベース部２１の上端部には、図４に示す下部ベースパネルフランジ２１３と同様に、上部ベースパネルフランジ２１４が形成されている。前面パネル１０の意匠パネル３０の第１パネル３１の上端部には、図４に示す下部意匠パネルフランジ３１３と同様の上部意匠パネルフランジ３１４が形成されている。そして、第１ベース部２１の上部ベースパネルフランジ２１４の上面に、第１パネル３１の上部意匠パネルフランジ３１４の下面が当接している。尚、図４に示す第１パネル３１の下端部の下部意匠パネルフランジ３１３は、第１ベース部２１の下端部の下部ベースパネルフランジ２１３の下面に当接している。
【００４０】
図８に示すように、上部キャップ４０は、被覆部４１と固定部４２とを有している。被覆部４１と固定部４２は一体成型されており、被覆部４１と固定部４２は略直角に交差している。固定部４２には、固定部４２を貫通する取付穴４０１が形成されている。
【００４１】
図９に示すように、第１ベース部２１の上部ベースパネルフランジ２１４は直角に曲げられて、縁部２１４Ａが形成されている。すなわち、縁部２１４Ａは、第１ベース部２１のベースパネル正面部２１Ｃと平行である。縁部２１４Ａには、上述の取付穴１０１が形成されている。取付穴１０１は、縁部２１４Ａを貫通している。
【００４２】
図８に示すように、上部キャップ４０の固定部４２の取付穴４０１と第１ベース部２１の上部ベースパネルフランジ２１４の縁部２１４Ａの取付穴１０１とにより、貫通孔が形成され、第１ビス６１は、取付穴４０１及び取付穴１０１を挿通している。上部キャップ４０は第１ビス６１により、第１ベース部２１に固定されている。尚、第２ビス６２による上部キャップ４０の第１ベース部２１への固定の構造も、第１ビス６１による上部キャップ４０の第１ベース部２１への固定の構造と同様である。また、第３ビス６３及び第４ビス６４による、上部キャップ４０の第２ベース部２２への固定の構造も、第１ビス６１による上部キャップ４０の第１ベース部２１への固定の構造と同様である。
【００４３】
また、図３に示す下部キャップ５０の前面パネル１０への取付構造は、上部キャップの前面パネル１０への取付構造と同様の構成を有している。すなわち、下部キャップ５０は、上述の上部キャップ４０の第１ベース部２１及び第２ベース部２２への固定の構造と同様の構造により、第１ベース部２１及び第２ベース部２２に固定されている。
【００４４】
図１０は、第１パネルが第１ベース部に取り付けられている状態を示す断面図である。図１０を参照して、第１パネル３１の第１ベース部２１に取り付ける態様を説明する。図１０中、第１ベース部２１へ取り付ける前の第１パネル３１を２点鎖線で示している。第１パネル３１を２点鎖線で示すような姿勢に傾け、被係合部２１１の側から第１ベース部２１に近づける。そして、係合部３１１Ｂの縁部を、被係合部２１１の第２被係合要素２１１Ｂにおいて筐体２の前面を向いている面に接触させる。この接触部分を支点とし、第１パネル３１を、第２端部３１Ｂが第１ベース部２１の第２端部２１Ｂへ近づく方向へ回転させる。すなわち、第１パネル３１を図１０中の反時計回りに回転させる。このとき、上述の第１ベース部２１の上端部の上部ベースパネルフランジ２１４の上面に第１パネル３１の上端部の上部意匠パネルフランジ３１４を位置させる。また、上述の第１ベース部２１の下端部の下部ベースパネルフランジ２１３の下面に第１パネル３１の下端部の下部意匠パネルフランジ３１３を位置させる。そして、爪２２０の支持部２１２Ｂに対し外側から力を加えて第１ベース部２１の内側へ撓ませ、爪本体２１２Ａを第１パネル３１の穴３２０に係止させる。このようにして、図１０において実線で示すように、第１パネル３１が第１ベース部２１に取り付けられる。
【００４５】
尚、第２パネル３２の第２ベース部２２への取付も、第１パネル３１の第１ベース部２１への取付の態様と同様の態様で行われる。
【００４６】
本実施の形態においては、前面パネル１０の左右方向の両端部において、意匠パネル３０の左右方向の両端部に設けられた係合部の意匠パネル側面部が、被係合部よりもベースパネル２０の外側に位置している。従って、意匠パネル３０の係合部とベースパネル２０の被係合部の係合部分が、室内機１を側方視したとき、露出することがなく、使用者の目に触れることがない。その結果、室内機１の意匠性を向上させることができる。
【００４７】
本実施の形態においては、意匠パネル３０の第１パネル３１の係合部３１１は意匠パネル正面部３１Ｃと一体成型されている。従って、第１パネル３１は、係合部３１１と被係合部２１１との係合部分に加えられる荷重に対する剛性を有している。
【００４８】
上部キャップ４０は、第１パネル３１の上端部の上部意匠パネルフランジ３１４の上面を覆うように配置されている。また、下部キャップ５０は、第１パネル３１の下部意匠パネルフランジ３１３の下面を覆うように配置されている。従って、上部意匠パネルフランジ３１４の縁部及び下部意匠パネルフランジ３１３の縁部は露出しておらず、使用者の目に触れることがない。従って、室内機１の意匠性を向上させることができる。
【００４９】
また、図８に示すように、上部キャップ４０は、上部意匠パネルフランジ３１４の上面に載置された状態において、意匠パネル３０の前面の上端部を前から覆うようには配置されていない。同様に、下部キャップ５０は、下部意匠パネルフランジ３１３の下面に載置された状態において、意匠パネル３０の前面の下端部を前から覆うようには配置されていない。すなわち、室内機１を前面視したとき、意匠パネル３０の上端部及び下端部は、上部キャップ４０及び下部キャップ５０に前から覆われることなく露出しており、意匠パネル３０が全体に亘って視認される。従って、室内機１の意匠性を向上させることができる。
【００５０】
尚、本実施の形態では、上部キャップ４０は４個所で前面パネル１０の上縁部に固定されているが、上部キャップ４０の固定個所は５個所以上でもよいし、３個所以下でもよい。下部キャップ５０の固定個所についても同様である。
【符号の説明】
【００５１】
１  室内機、２  筐体、１０  前面パネル、２０  ベースパネル、２１  第１ベース部、２１Ａ  第１端部、２１Ｂ  第２端部、２１Ｃ  ベースパネル平面部、２１Ｄ  中央部、２１Ｅ  溝部、２２  第２ベース部、３０  意匠パネル、３１  第１パネル、３１Ａ  第１端部、３１Ｂ  第２端部、３１Ｃ  意匠パネル平面部、３１Ｄ  接続部、３２  第２パネル、３３  化粧板、４０  上部キャップ、４１  被覆部、４２  固定部、５０  下部キャップ、６１  第１ビス、６２  第２ビス、６３  第３ビス、６４  第４ビス、１０１  取付穴、１０２  取付穴、１０３  取付穴、１０４  取付穴、２１０  フランジ、２１１  被係合部、２１１Ａ  第１被係合要素、２１１Ｂ  第２被係合要素、２１１Ｃ  第３被係合要素、２１２Ａ  爪本体、２１２Ｂ  支持部、２１３  下部ベースフランジ、２１４  上ベースパネルフランジ、２１４Ａ  縁部、２２０  爪、３１１Ａ  意匠パネル側面部、３１１Ｂ  係合部、３１１Ｃ  接続部、３１２  左フランジ、３１３  下部意匠パネルフランジ、３１４  上フランジ、３２０  穴、４０１  取付穴、４０２  取付穴、４０３  取付穴、４０４  取付穴。
【図１】
2020202298.tif 000003
【図２】
2020202298.tif 000004
【図３】
2020202298.tif 000005
【図４】
2020202298.tif 000006
【図５】
2020202298.tif 000007
【図６】
2020202298.tif 000008
【図７】
2020202298.tif 000009
【図８】
2020202298.tif 000010
【図９】
2020202298.tif 000011
【図１０】
2020202298.tif 000012
【国際調査報告】
2020202298.tif 000013
2020202298.tif 000014
2020202298.tif 000015